(57)【要約】【課題】１つのアプリケーションを選択して実行するための操作が極めて簡易なスライド式の携帯通信端末機を提供する。【解決手段】本発明に係る携帯通信端末機は、ベース筐体１に対してスライド筐体２が係合し、スライド筐体２は、閉じ位置と、閉じ位置から一方向にスライドした開き位置と、閉じ位置から逆方向にスライドした逆シフト位置の間で往復移動可能であって、スライド筐体２を逆シフト位置から閉じ位置に向かって付勢する手段と、スライド筐体２の位置を検知する手段と、スライド筐体２が逆シフト位置に移動したことが検知されたとき、ディスプレイ98にアプリケーション選択画面を表示し、選択の対象となる１つのアプリケーションを順次指定する手段と、スライド筐体２が逆シフト位置から開き位置に向かって移動したことが検知されたとき、指定されているアプリケーションを実行する手段とを具えている。【選択図】図１
2008090353.tif 000002
【特許請求の範囲】
【請求項１】
ベース筐体(１)に対してスライド筐体(２)がスライド可能に係合し、無線による通信が可能であると共に、スライド筐体(２)の表面に配備されたディスプレイ(98)を利用して、複数のアプリケーションの中から選択された１つのアプリケーションを実行させることが可能な携帯通信端末機において、
スライド筐体(２)は、ベース筐体(１)に対して閉じた閉じ位置と、閉じ位置から一方向にスライドした開き位置と、閉じ位置から前記一方向とは逆方向にスライドした逆シフト位置の３つの位置の間で往復移動可能であって、
スライド筐体(２)を逆シフト位置から閉じ位置に向かって付勢する付勢手段と、
スライド筐体(２)の位置を検知する位置検知手段と、
スライド筐体(２)が逆シフト位置に移動したことが検知されたとき、前記ディスプレイ(98)にアプリケーション選択画面を表示し、スライド筐体(２)が逆シフト位置に保持されている状態で、選択の対象となる１つのアプリケーションを順次指定する第１の制御手段と、
スライド筐体(２)が逆シフト位置から開き位置に向かって移動したことが検知されたとき、前記アプリケーション選択画面で指定されている１つのアプリケーションを選択し、スライド筐体(２)が開き位置に保持されている状態で、該アプリケーションを実行する第２の制御手段
とを具えていることを特徴とする携帯通信端末機。
【請求項２】
更に、スライド筐体(２)が開き位置から閉じ位置又は逆シフト位置に移動したことが検知されたとき、実行中のアプリケーションを終了させる第３の制御手段を具えている請求項１に記載の携帯通信端末機。
【請求項３】
ベース筐体(１)とスライド筐体(２)の係合部には、一方の筐体側に摺動可能に配備されたカム駒(３)と、他方の筐体側に突設されて前記カム駒(３)のカム溝(31)に係合する突片(５)とを具えたカム機構が配備され、前記位置検出手段は、前記突片(５)のカム溝(31)上の位置を検知することにより、スライド筐体(２)の位置を検知する請求項１又は請求項２に記載の携帯通信端末機。
【請求項４】
前記位置検出手段は、前記カム駒(３)のカム溝(31)との対向位置に配備されて前記突片(５)の接近／離間を検知する１或いは複数のセンサーによって構成されている請求項１乃至請求項３の何れかに記載の携帯通信端末機。
【発明の詳細な説明】
【技術分野】
【０００１】
本発明は、携帯電話機等の携帯通信端末機に関し、特にベース筐体に対してスライド筐体がスライド可能に係合したスライド式の携帯通信端末機に関するものである。
【背景技術】
【０００２】
従来、スライド式の携帯電話機においては、無線による通信が可能であると共に、スライド筐体の表面に配備されたディスプレイを利用して、複数のアプリケーションの中から選択された１つのアプリケーションを実行させることが可能となっている。
【０００３】
この様なスライド式の携帯電話機において、複数のアプリケーションの中から１つのアプリケーションを選択して実行するためには、先ず、ベース筐体に対してスライド筐体をスライドさせて開き、この状態でキー操作を行なって、アプリケーション選択モードを起動して、ディスプレイにアプリケーション選択画面を表示し、更にこの状態でキー操作を行なって、複数のアプリケーションの中から１つのアプリケーションを選択する必要があるので、キー操作が煩雑である問題があった。
【０００４】
そこで、スライド式の携帯電話機においてスライド筐体を複数の位置で停止可能とし、スライド筐体の停止位置に応じてアプリケーション機能を切り換える様にした携帯電話端末が提案されている(特許文献１)。
【特許文献１】特開２００５−３４１１２６号公報［H04M1/02］
【発明の開示】
【発明が解決しようとする課題】
【０００５】
しかしながら、スライド筐体の停止位置に応じてアプリケーション機能を切り換える様にした携帯電話端末においても、実行せんとするアプリケーション機能に対応する１つの停止位置までスライド筐体を移動させる操作は困難であり、依然として操作性に問題があった。
【０００６】
そこで本発明の目的は、複数のアプリケーションの中から１つのアプリケーションを選択して実行するための操作が極めて簡易なスライド式の携帯通信端末機を提供することである。
【課題を解決するための手段】
【０００７】
本発明に係る携帯通信端末機は、スライド筐体(２)は、ベース筐体(１)に対して閉じた閉じ位置と、閉じ位置から一方向にスライドした開き位置と、閉じ位置から前記一方向とは逆方向にスライドした逆シフト位置の３つの位置の間で往復移動可能であって、
スライド筐体(２)を逆シフト位置から閉じ位置に向かって付勢する付勢手段と、
スライド筐体(２)の位置を検知する位置検知手段と、
スライド筐体(２)が逆シフト位置に移動したことが検知されたとき、ディスプレイ(98)にアプリケーション選択画面を表示し、スライド筐体(２)が逆シフト位置に保持されている状態で、選択の対象となる１つのアプリケーションを順次指定する第１の制御手段と、
スライド筐体(２)が逆シフト位置から開き位置に向かって移動したことが検知されたとき、前記アプリケーション選択画面で指定されている１つのアプリケーションを選択し、スライド筐体(２)が開き位置に保持されている状態で、該アプリケーションを実行する第２の制御手段
とを具えている。
【０００８】
上記本発明の携帯通信端末機においては、スライド筐体(２)が閉じ位置に保持されている状態からスライド筐体(２)を逆シフト位置まで押し込むことによって、ディスプレイ(98)にアプリケーション選択画面が表示され、更にスライド筐体(２)を逆シフト位置に保持することによって、アプリケーション選択画面上で、選択の対象となる１つのアプリケーションが順次指定される。
そこで、起動せんとする目的のアプリケーションが指定された時点で、スライド筐体(２)の押し込みを解除すると、スライド筐体(２)はバネ付勢によって閉じ位置に向けて移動し、これと同時に目的のアプリケーションが選択され、スライド筐体(２)が開き位置に保持されている状態で、該アプリケーションが実行されることになる。
【０００９】
具体的構成においては更に、スライド筐体(２)が開き位置から閉じ位置又は逆シフト位置に移動したことが検知されたとき、実行中のアプリケーションを終了させる第３の制御手段を具えている。
該具体的構成によれば、スライド筐体(２)を開き位置から閉じ位置又は逆シフト位置まで移動させるだけで、キー操作を行なうことなく、実行中のアプリケーションを終了させることが出来る。
【００１０】
又、他の具体的構成において、ベース筐体(１)とスライド筐体(２)の係合部には、一方の筐体側に摺動可能に配備されたカム駒(３)と、他方の筐体側に突設されて前記カム駒(３)のカム溝(31)に係合する突片(５)とを具えたカム機構が配備され、前記位置検出手段は、前記突片(５)のカム溝(31)上の位置を検知することにより、スライド筐体(２)の位置を検知するものである。
【００１１】
更に具体的には、前記位置検出手段は、前記カム駒(３)のカム溝(31)との対向位置に配備されて前記突片(５)の接近／離間を検知する１或いは複数のセンサーによって構成されている。
【発明の効果】
【００１２】
本発明に係る携帯通信端末機によれば、スライド筐体(２)を閉じ位置から逆シフト位置まで押し込んだ後、適時にスライド筐体(２)の押し込みを解除する操作を行なうだけで、目的のアプリケーションを選択して実行することが出来るので、操作が極めて簡易である。
【発明を実施するための最良の形態】
【００１３】
以下、本発明をスライド式の携帯電話機に実施した形態につき、図面に沿って具体的に説明する。
本発明に係る携帯電話機は、図１に示す如く、ベース筐体(１)に対してスライド筐体(２)がスライド可能に係合し、無線による通信が可能であると共に、スライド筐体(２)の表面に配備されたディスプレイ(98)を利用して、メール機能等の複数のアプリケーションの中から選択された１つのアプリケーションを実行させることが可能となっている。
又、ベース筐体(１)及びスライド筐体(２)の表面には、オフフックキー、オンフックキー、テンキー、機能選択キー等の複数の操作キー(93)が配備されている。
【００１４】
ここで、スライド筐体(２)は、ベース筐体(１)に対して閉じた閉じ位置と、閉じ位置から一方向にスライドした開き位置と、閉じ位置から前記一方向とは逆方向にスライドした逆シフト位置の３つの位置の間で往復移動可能である。
尚、ベース筐体(１)上にスライド筐体(２)をスライド可能に配備するためのガイド機構は周知の構成であるので、図示及び説明を省略する。
【００１５】
図１は、アプリケーションの選択、実行、終了のための一連の操作と状態遷移Ｍ１〜Ｍ６を表わしている。
第１状態Ｍ１では、スライド筐体(２)は閉じ位置に保持されており、スライド筐体(２)のディスプレイ(98)は待ち受け画面の表示となっている。この状態で着信があれば、オフフック操作によって通話が可能となる。
【００１６】
第２状態Ｍ２は、ベース筐体(１)を保持した手の指でスライド筐体(２)を逆シフト位置まで押し込んだ状態を示し、この状態が一定時間保持されると、アプリケーション選択モードが設定され、ディスプレイ(98)には、複数のアプリケーションの選択メニュー(リスト)がスクロール表示され、同時にカーソルが移動して、選択の対象となる１つのアプリケーションが順次指定される。
【００１７】
第３状態Ｍ３では、スライド筐体(２)の押し込みが解除されて、スライド筐体(２)は閉じ位置を経て開き位置までスライドしており、スライド筐体(２)が逆シフト位置から離間することによって、その時点で指定されていた１つのアプリケーションが選択され、該アプリケーションが起動される。
そして、第４状態Ｍ４では、スライド筐体(２)が開き位置に保持された状態で該アプリケーションが実行され、これに伴ってディスプレイ(98)にはアプリケーション画面が表示される。
【００１８】
第５状態Ｍ５は、スライド筐体(２)を開き位置から閉じ位置を経て逆シフト位置まで押し込んだ状態を示し、これによって実行中のアプリケーションの終了動作が行なわれる。
そして、第６状態Ｍ６の如く、スライド筐体(２)の押し込みを解除すれば、スライド筐体(２)は元の閉じ位置に戻り、再び待ち受け画面の表示となる。
【００１９】
本発明に係る携帯電話機においては、上述の状態遷移を実現するために、図２〜図６に示す機構が配備されている。
図６の如く、ベース筐体(１)の表面には、矩形の第１ガイド溝(４)と、該第１ガイド溝(４)からスライド筐体(２)のスライド方向に伸びる細長い第２ガイド溝(41)と、該第２ガイド溝(41)の終端部に形成された扇状の第３ガイド溝(42)とが凹設されている。
【００２０】
ベース筐体(１)の第１ガイド溝(４)には、直方体を呈するカム駒(３)が設置され、スライド筐体(２)のスライド方向とは直交する方向の摺動が可能となっている。カム駒(３)の表面にはカム溝(31)が凹設されている。
該カム溝(31)は図７に示す様に、Ｗ字状の経路を有し、第１溝部(32)、第２溝部(33)、第３溝部(34)及び第４溝部(35)から構成され、第１溝部(32)、第２溝部(33)及び第３溝部(34)の端部は円弧状に屈曲している。
【００２１】
カム駒(３)には、カム溝(31)の第３溝部(34)と第４溝部(35)の連結部と、第１溝部(32)と第２溝部(33)の連結部に対向して、それぞれ近接センサーからなる第１センサー(９)と第２センサー(91)が配備され、突片(５)の接近／離間の検出が可能となっている。
【００２２】
図６に示す様に、ベース筐体(１)の表面には、第２ガイド溝(41)に沿って、第１レバー(６)が枢軸(60)を中心として回動可能に配備されると共に、第３ガイド溝(42)には、第２レバー(７)が枢軸(70)を中心として回動可能に配備されている。
第１レバー(６)は第１バネ(８)によって反時計方向に回転付勢されている。又、  第２レバー(７)は第３ガイド溝(42)によって回動角度を規制されている。
【００２３】
第１レバー(６)と第２レバー(７)とはそれぞれの一方の端部で互いに当接可能に対向し、第１レバー(６)の他方の端部は、カム駒(３)の側面と当接可能に対向している。
【００２４】
一方、スライド筐体(２)の裏面には、ベース筐体(１)上のカム駒(３)へ向けて突出し、カム駒(３)のカム溝(31)に係合する突片(５)が配備されている。
そして、ベース筐体(１)とスライド筐体(２)の間には第２バネ(81)が圧縮された状態で架設され、スライド筐体(２)を逆シフト位置から開き位置へ向けて付勢している。
【００２５】
図２は、第１状態Ｍ１及び第６状態Ｍ６におけるカム駒(３)と両レバー(６)(７)の位置関係を表わし、図３は、第２状態Ｍ２における同関係を表わし、図４は、第３状態Ｍ３及び第４状態Ｍ４における同関係を表わし、図５は、第５状態Ｍ５における同関係を表わしている。
【００２６】
図２に示す第１状態Ｍ１において、突片(５)は図７に示す様に、カム駒(３)のカム溝(31)を構成する第１溝部(32)、第２溝部(33)、第３溝部(34)及び第４溝部(35)の内、第２溝部(33)と第３溝部(34)の連結部に位置し、これに伴って、カム駒(３)は第１ガイド溝(４)の略中央部に位置している。
【００２７】
この状態で、図２の如く、第１レバー(６)は第１バネ(８)の付勢によって時計方向に回動し、これに伴って第２レバー(７)は反時計方向に回動している。
又、第２バネ(81)は圧縮された状態にあって、スライド筐体(２)を開き方向に付勢しているが、図７の如く突片(５)がカム駒(３)のカム溝(31)の第２溝部(33)と第３溝部(34)の連結部の壁面に受け止められて、スライド筐体(２)は閉じ位置に保持されている。
【００２８】
この状態から図３の如く、第２バネ(81)に抗してスライド筐体(２)を逆シフト位置まで押し込むと、図８に示す如く突片(５)がカム駒(３)のカム溝(31)の第３溝部(34)に沿って移動し、第３溝部(34)と第４溝部(35)の連結部に達する。この結果、第１センサー(９)が突片(５)を検知し、オンとなる。
【００２９】
突片(５)の移動に伴ってカム駒(３)は第１ガイド溝(４)の左側の端部まで移動し、この結果、カム溝(31)の第４溝部(35)と第２ガイド溝(41)とが連通することになる。又、カム駒(３)の移動によって、図３の如く、カム駒(３)の側面が第１レバー(６)の端部に当接する。
【００３０】
この状態からスライド筐体(２)に対する押し込みを解除すると、スライド筐体(２)は第２バネ(81)の付勢によって閉じ位置へ戻り、更に図４に示す如く第２バネ(81)の付勢によって開き位置までスライドし、開き位置にて保持される。このスライド筐体(２)の移動に伴って、図８の如く突片(５)がカム溝(31)の第４溝部(35)から第２ガイド溝(41)へ移行し、この突片(５)の移動によって第１センサー(９)はオフとなる。
【００３１】
そして、図４の如く、突片(５)は第２ガイド溝(41)を通過して、第３ガイド溝(42)に進入し、第２レバー(７)を押圧して第２レバー(７)を時計方向に回動させる。該第２レバー(７)の回動に伴って第１レバー(６)が第１バネ(８)に抗して反時計方向に回動し、カム駒(３)を第１ガイド溝(４)の右側の端部まで移動させる。
この結果、図９に示す様に、カム駒(３)のカム溝(31)の第１溝部(32)と第２ガイド溝(41)とが連通することになる。
【００３２】
この状態からスライド筐体(２)を第２バネ(81)に抗して閉じ位置に向かって押圧し、更にスライド筐体(２)を図５に示す様に逆シフト位置まで押圧すると、突片(５)は、第３ガイド溝(42)から第２ガイド溝(41)を通過し、更に図９に鎖線で示す様にカム駒(３)のカム溝(31)の第１溝部(32)に移行することになる。
【００３３】
そして、図１０の如く突片(５)がカム溝(31)の第１溝部(32)と第２溝部(33)の連結部に押し込まれることによって、カム駒(３)は左方へ移動する。又、第２センサー(91)が突片(５)を検知してオンとなる。
突片(５)が第３ガイド溝(42)から第２ガイド溝(41)を経てカム駒(３)のカム溝(31)へ移行することによって、第１レバー(６)は第１バネ(８)の付勢によって時計方向に回動すると共に、第２レバー(７)は第１レバー(６)により押圧されて、反時計方向に回動する。
【００３４】
その後、スライド筐体(２)に対する押圧を解除すると、第２バネ(81)の付勢によって、スライド筐体(２)は図２の如く閉じ位置まで移動する。
このスライド筐体(２)の移動に伴って、突片(５)はカム駒(３)のカム溝(31)の第２溝部(33)を通過して、図７の如く第２溝部(33)と第３溝部(34)の連結部に戻ることとなり、この位置で突片(５)が該連結部の壁面に受け止められて、スライド筐体(２)を閉じ位置に保持する。
【００３５】
上述の如くスライド筐体(２)の往復移動に伴って、突片(５)がカム駒(３)のカム溝(31)を第１溝部(32)、第２溝部(33)、第３溝部(34)、第４溝部(35)の順に移動し、第４溝部(35)を脱出した後、再び第１溝部(32)に戻ってくる動作を繰り返し、この過程で、突片(５)が先ず第１センサー(９)をオン／オフした後、第２センサー(91)をオン／オフすることになる。
【００３６】
図１１は、本発明に係る携帯電話機の装置構成を示しており、アンテナを具えた通信回路(95)にマイクロコンピュータからなる制御回路(94)が接続され、該制御回路(94)には、複数のアプリケーションプログラムが登録されているメモリ(96)、送話部を構成するマイクロホン(92)、受話部を構成するスピーカ(97)の他、前述の複数の操作キー(93)、第１センサー(９)及び第２センサー(91)が接続されている。
尚、第１センサー(９)及び第２センサー(91)は、往復移動するカム駒(３)上に配備されているので、制御回路(94)との連結はフレキシブルリード等を用いて行なう必要がある。
【００３７】
制御回路(94)は、第１センサー(９)及び第２センサー(91)からのオン／オフ信号に基づいて、メモリ(96)に登録されている複数のアプリケーションを対象としてアプリケーション選択モードを設定し、アプリケーション選択メニューのスクロール表示、カーソルの移動、指定されたアプリケーションの実行、終了を制御する。
【００３８】
図１２は、制御回路(94)の制御手続きを表わしている。
先ずステップＳ１では、第１センサー(９)がオンとなったか否かを判断し、イエスと判断されたとき、ステップＳ２にて、第１センサー(９)がオンのまま一定時間が経過したか否かを判断する。
スライド筐体(２)が図５の状態で一定時間を越えて保持されると、ステップＳ２にてイエスと判断され、図１２のステップＳ３に移行し、アプリケーション選択モードが設定される。そして、ステップＳ４では、アプリケーション選択メニューのスクロール表示が開始されると共に、カーソルが移動して、選択の対象となる１つのアプリケーションが順次指定される。
【００３９】
続いてステップＳ５では第１センサー(９)がオフとなったか否かが判断され、ノーの場合はステップＳ４に戻って、アプリケーション選択メニューのスクロール表示及びカーソルの移動を継続する。
これに応じてユーザが図４の如くスライド筐体(２)の押圧を解除してスライド筐体(２)を開き位置へ向けて移動させると、第１センサー(９)がオフとなって、図１２のステップＳ５でイエスと判断され、ステップＳ６に移行する。
【００４０】
ステップＳ６では、第１センサー(９)がオンからオフとなった時点でカーソルにより指定されている１つのアプリケーションが選択されて実行される。
その後、ステップＳ７では、第２センサー(91)がオンとなったか否かを判断し、ノーの場合はステップＳ６に戻ってアプリケーションの実行を継続する。
【００４１】
ここで、ユーザがアプリケーションを終了させるべく、図５の如くスライド筐体(２)を逆シフト位置へ向けて移動させると、図１２のステップＳ７にてイエスと判断され、ステップＳ８に移行し、アプリケーション終了の処理を行なう。
【００４２】
上述の如く、本発明に係る携帯電話機によれば、ベース筐体(１)を保持した手の指で、スライド筐体(２)を閉じ位置から逆シフト位置まで押し込んだ後、適時にスライド筐体(２)の押し込みを解除する操作を行なうだけで、キー操作を行なうことなく、目的のアプリケーションを選択して実行することが出来、然も、スライド筐体(２)を開き位置から逆シフト位置まで移動させるだけで、キー操作を行なうことなく、実行中のアプリケーションを終了させることが出来るので、操作が極めて簡易であり、操作性が良好である。
【００４３】
又、複数のアプリケーションを選択、実行するために必要となる操作キー、例えばカメラの起動やフラッシュの起動のためのサイドボタンを省略することが可能であり、これによって構成が簡易となる。
【００４４】
尚、同様のスライド筐体(２)の操作によって、予め選択している特定のアプリケーションを自動的に起動させる構成や、過去に最も使用頻度の高いアプリケーションを自動的に起動させる構成を採用することも可能である。
【図面の簡単な説明】
【００４５】
【図１】本発明に係る携帯電話機の状態遷移を示す一連の斜視図である。
【図２】該携帯電話機の第１状態を示す透視図である。
【図３】該携帯電話機の第２状態を示す透視図である。
【図４】該携帯電話機の第３状態を示す透視図である。
【図５】該携帯電話機の第５状態を示す透視図である。
【図６】ベース筐体とスライド筐体の間に配備された機構の分解斜視図である。
【図７】第１状態でのカム駒及び突片の位置関係を示す平面図である。
【図８】第２状態での同上の平面図である。
【図９】第４状態から第５状態への移行時の同上の平面図である。
【図１０】第５状態での同上の平面図である。
【図１１】本発明に係る携帯電話機の構成を示すブロック図である。
【図１２】本発明に係る携帯電話機の動作を示すフローチャートである。
【符号の説明】
【００４６】
(１)  ベース筐体
(２)  スライド筐体
(３)  カム駒
(４)  第１ガイド溝
(41)  第２ガイド溝
(42)  第３ガイド溝
(５)  突片
(６)  第１レバー
(７)  第２レバー
(８)  第１バネ
(81)  第２バネ
(９)  第１センサー
(91)  第２センサー
(93)  操作キー
(98)  ディスプレイ
【図１】
2008090353.tif 000003
【図２】
2008090353.tif 000004
【図３】
2008090353.tif 000005
【図４】
2008090353.tif 000006
【図５】
2008090353.tif 000007
【図６】
2008090353.tif 000008
【図７】
2008090353.tif 000009
【図８】
2008090353.tif 000010
【図９】
2008090353.tif 000011
【図１０】
2008090353.tif 000012
【図１１】
2008090353.tif 000013
【図１２】
2008090353.tif 000014